(57)【要約】      （修正有）【課題】両レンズを連結部材にて直接連結し、レンズ外側にはヨロイを固定すると共にヨロイ先端には継手を介して折畳み出来るようにツルを取付けた縁なしメガネを提供する。【解決手段】連結部材３は樹脂製でその両先端部表面側には切欠き部を形成し、この切欠き部には金属製の当り部材を介してレンズ２の外周部を係合してネジ止めし、該当り部材の当り片をレンズ外周に当接し、当り片から延びるアーム先端に設けた穴、レンズ外周部に設けた穴、及び連結部材３の切欠き部に設けた穴にネジを挿通して裏側へ延びたネジ部にナットを螺合して締付け、また、ヨロイ４の正面に取付けた樹脂部材の先端部正面に設けた切欠き部にレンズ外周部を係合してネジ止めしている。【選択図】図１
0003212603.tif 000002
【実用新案登録請求の範囲】
【請求項１】
両レンズを連結部材にて直接連結し、レンズ外側にはヨロイを固定すると共にヨロイ先端には継手を介して折畳み出来るようにツルを取付けた縁なしメガネにおいて、上記連結部材は樹脂製でその両先端部表面側には切欠き部を形成し、この切欠き部には金属製の当り部材を介してレンズ外周部を係合してネジ止めした構造とし、該当り部材の当り片をレンズ外周に当接し、当り片から延びるアーム先端に設けた穴、レンズ外周部に設けた穴、及び連結部材の切欠き部に設けた穴にネジを挿通して裏側へ延びたネジ部にナットを螺合して締付け、また、ヨロイの正面に取付けた樹脂部材の先端部正面に設けた切欠き部にレンズ外周部を係合してネジ止めしたことを特徴とする縁なしメガネ。
【考案の詳細な説明】
【技術分野】
【０００１】
本考案はリムを持たないでレンズを直接ネジ止め・連結して構成される縁なしメガネに関するものである。
【背景技術】
【０００２】
図６は従来の一般的な縁なしメガネを示している具体例である。同図(ａ)に示すように両レンズ(イ)、(イ)は連結部材(ロ)によってネジ止めされ、レンズ(イ)、(イ)の外側にはヨロイ(ハ)、(ハ)がネジ止めにて取着されている。そして、このヨロイ(ハ)の先端には継手部を介してツル(ニ)が折畳み出来るように取付けされ、さらにレンズ(イ)の内側には上記連結部材(ロ)から延びる脚先端に鼻当てパット(ホ)が設けられている。
【０００３】
ところで、両レンズ(イ)、(イ)は連結部材(ロ)にてネジ止めされ、同じくヨロイ(ハ)はレンズ外側にネジ止めされているが、１本のネジでレンズ(イ)と連結固定する場合、ネジを中心として回転しない構造としなければならない。そこで、縁なしメガネではレンズの外周に当接する当り片(ヘ)を連結部材(ロ)並びにヨロイ(ハ)に設けることで、レンズの回転を阻止してガタ付かない構造が採用されている。
【０００４】
このように、両レンズ(イ)、(イ)を連結部材(ロ)の両サイドから延びるアーム（ト）、（ト）にネジ止めし、そして同図（ｂ）に示すようにレンズ外側にはヨロイ(ハ)、(ハ)から延びるアーム（ト）をネジ止めし、レンズ回転を阻止する為に当り片（ヘ）を設けてレンズ外周に当接した構造としている。しかし、縁なしメガネではレンズ回転を防止する為に該当り片（ヘ）ではなく、他にも色々な連結構造が知られている。
【０００５】
例えば、実用新案登録第３０４３００６号に係る「縁なし眼鏡」は、簡単な構造で、専門的な技術や機械を必要とせず、どこでも組立られ、ガタ付かず、しっかりとした固定ができる、安価で強度と耐久性のある縁なし眼鏡のレンズ取付構造である。そこで、眼鏡レンズ端部の一方のレンズ面に切欠部を設け、その切り欠け部に嵌合する取付部を備えた略コの字状の枠取付部材を、レンズの表裏から挟持して取り付ける構造としている。
【０００６】
特開平１１−３２６８３８号に係る「眼鏡の矯正用レンズ取り付け構造及びその眼鏡」は、サンプル眼鏡と同等のパーツを使用し、展示用ダミーレンズに換えて矯正用レンズを組み込み、矯正用眼鏡を組立てる際、ブラケットやブリッジ等の眼鏡フレームパーツに修正を加えることなく、サンプル眼鏡と同じ状態の掛け具合を保証できる矯正用レンズ取付構造である。
【特許文献１】実用新案登録第３０４３００６号に係る「縁なし眼鏡」
【特許文献２】特開平１１−３２６８３８号に係る「眼鏡の矯正用レンズ取り付け構造及びその眼鏡」
【考案の開示】
【考案が解決しようとする課題】
【０００７】
このように、レンズが嵌るリムを有しない縁なしメガネとしては色々な形態が知られている。本考案に係る縁なしメガネは、レンズに無理な負担をかけることがないように樹脂製の連結部材と金属製の当り部材との組み合わせで、両レンズが安定して連結される縁なしメガネを提供する。
【課題を解決するための手段】
【０００８】
本考案に係る縁なしメガネは、両レンズを連結部材にて連結し、レンズ外側にはヨロイを設け、そして該ヨロイには継手を介してツルが折畳み出来るように取付けて構成したもので、基本的な構造は従来の縁なしメガネと共通する。
ところで、両レンズを連結する上記連結部材は樹脂製とし、連結部材はその両先端部の表面側が切欠かれ、この切欠き部にレンズ外周部が係合すると共にネジ止めされている。
【０００９】
この際、連結部材とレンズとが向きを変えることなく連結されるように当り部材を介在している。当り部材は金属質で構成され、レンズ外周に当接する当り片と該当り片から延びるアームから成り、アーム先端とレンズ及び連結部材とがネジ止めされる。
一方、ヨロイはＬ形に屈曲し、その正面に樹脂部材を取付けて構成され、この樹脂部材の先端正面側が切欠かれ、この切欠き部にレンズ外周が係合すると共にネジ止めされている。
【考案の効果】
【００１０】
本考案の縁なしメガネは、両レンズを連結部材によって連結し、レンズ外側にはヨロイを取付けてフロント部を構成している。この点は従来の縁なしメガネと同じであり、縁なしメガネとしての一般的な効果は備えている。
そして、両レンズが連結される連結部材は樹脂製であり、ヨロイ正面には樹脂部材を取付けていることで、レンズをネジ締めした際に発生する応力は緩和され、レンズの割れ及び破損を抑制することが出来る。
【図面の簡単な説明】
【００１１】
【図１】本考案に係る縁なしメガネを示す正面図の一部。
【図２】本考案に係る縁なしメガネを示す平面図の一部。
【図３】連結部材を示す具体例。
【図４】当り部材を示す具体例。
【図５】正面に樹脂部材を取付けたヨロイ。
【図６】従来の縁なしメガネで、（ａ）は正面からの斜視図、（ｂ）はヨロイの取付け構造。
【考案を実施するための形態】
【００１２】
図１、図２は本考案に係る縁なしメガネを示す実施例で、図１は正面図の一部、図２は平面図の一部をそれぞれ表している。フロント部１は両レンズ２，２が連結部材３にて左右対称に連結され、レンズ２，２の外側にはヨロイ４，４が取付けられている。そして、該ヨロイ４，４の先端には継手５が設けられ、該継手５を介してツル６が折畳み出来るように連結し、縁なしメガネとしての基本的な構造は従来と同じである。
【００１３】
ところで、フロント部１の中央に配置される連結部材３は樹脂製で、両レンズ２，２を連結しているが、レンズ２と連結部材３との間に当り部材７を設け、該当り部材７、レンズ２、及び連結部材３が止めネジにてネジ止めされている。
上記ヨロイ４はＬ形をなし、ヨロイ４の先端にはツル６が継手を介して折畳み出来るように取付けられている。
【００１４】
図３は連結部材３を単独で表わしている具体例であり、該連結部材３は樹脂製部材であって、その両先端部の表面側は切欠かれて切欠き部７，７を設けている。そして、この切欠き部７の中央には穴８が貫通している。ところで、上記切欠き部７にはレンズ外周部が係合してネジ止めされるが、この際、レンズ２と連結部材３との間には当り部材９が介在している。当り部材９によって連結部材３とレンズ２とが位置決めされてその向きが変わらないように固定されている。
【００１５】
図４は上記当り部材９を単独で表わしている具体例である。当り部材９は金属質で構成され、レンズ外周に当接する当り片１０と該当り片１０から延びるアーム１１で構成されている。当り片１０はレンズ外周に当接すると共に連結部材３の切欠き部７に係合して外表面１２は切欠き部７の内側面１３に接する。アーム１１の先端部に設けた穴１４からレンズ穴及び連結部材３に形成している穴８を貫通して連結部材３の背面側へ突出して延びるネジ部に螺合して締め付けられる。
【００１６】
図５は樹脂部材１５を正面に取付けているヨロイ４を表している。該樹脂部材１５の先端部正面側は切欠かれて切欠き部１６が形成され、該切欠き部１６の中央には穴１７が貫通して設けられている。
ところで、上記切欠き部１６にレンズ２の外周部が係合して前記図２に示しているようにネジ止めされる。
【００１７】
ヨロイ側の樹脂部材１５とレンズ２との間には当り部材を介在しておらず、該レンズ２は切欠き部１６に直接係合している。そこで、切欠き部１６の内側面１８はレンズ２の外周が隙間なく当接するようにレンズ外周と同じ曲面を形成している。樹脂部材１５はヨロイ４の正面に１本のネジ１９によって止着されているが、別のネジによってレンズ２と共に樹脂部材１５は回転しないようにヨロイ正面に固定される。
【００１８】
ヨロイ側にも中央の連結部材側と同じような金属製の当り部材を取付けてレンズ２の回り止めを図ることも出来るが、ツルを開く際のフロント部１に作用する曲げモーメントは中央の連結部材とレンズ２との間が大きくなる。少なくとも連結部材側には金属製の当り部材を取付けている。
そして、連結部材を樹脂製とすることで、またヨロイに樹脂部材を取付けていることで、レンズをネジ止めする際に発生する締付け応力は緩和され、同時に曲げ応力も緩和される。
【符号の説明】
【００１９】
１   フロント部
２   レンズ
３   連結部材
４   ヨロイ
５   継手
６   ツル
７   切欠き部
８   穴
９   当り部材
10   当り片
11   アーム
12   外表面
13   内側面
14   穴
15   樹脂部材
16   切欠き部
17   穴
18   内側面
19   ネジ
【図１】
0003212603.tif 000003
【図２】
0003212603.tif 000004
【図３】
0003212603.tif 000005
【図４】
0003212603.tif 000006
【図５】
0003212603.tif 000007
【図６】
0003212603.tif 000008